(57)【要約】      （修正有）【課題】吸収性物品を有する収容物を取り出し易く、かつ、不用意に収容物が外に飛び出すことのない包装体の提供。【解決手段】包装体１のスタンディング袋１０は、熱可塑性フィルムから形成されていて、前面１１と、後面１２と、底面と、前面１１と後面１２とが互いに接合された外周シール部１４ａ、１４ｃ、１４ｄと、外周シール部１４ａ、１４ｃ、１４ｄと底面とに囲まれた収容空間Ｓと、幅方向Ｘへ延びる上端部４１と、上端部４１の下方に位置し、開封手段１５が位置する括れ部４３と、括れ部４３の下方に位置する収容物２０Ａ、２０Ｂが収容された収容部４４とを有する。上端部４１の内周寸法、括れ部４３の内周寸法及び収容部４４の内周寸法のうちで括れ部４３の内周寸法が最も小さく、かつ、収容部４４の内周寸法、上端部４１の内周寸法及び吸収性物品の外周寸法のうちで吸収性物品の外周寸法が最も小さくなっている。【選択図】図１
0003223065.tif 000002
【実用新案登録請求の範囲】
【請求項１】
幅方向と上下方向とそれらに交差する前後方向とを有し、スタンディング袋と、前記スタンディング袋内に収容された、吸収性物品を有する収容物の包装体において、
前記スタンディング袋は、前面と、後面と、底面と、前記前面と後面とが互いに接合された外周シール部と、前記外周シール部と前記底面とに囲まれた収容空間と、前記幅方向へ延びる上端部と、上端部の下方に位置し、括れ部と、前記括れ部の下方に位置する前記収容物が収容された収容部とをさらに有し、
前記上端部の内周寸法Ｌ１、前記括れ部の内周寸法Ｌ２及び前記収容部の内周寸法Ｌ３のうちで前記括れ部の内周寸法Ｌ２が最も小さく、かつ、前記収容部の内周寸法Ｌ３、前記上端部の内周寸法Ｌ１及び前記吸収性物品の外周寸法Ｌ４のうちで前記吸収性物品の外周寸法Ｌ４が最も小さいことを特徴とする前記包装体。
【請求項２】
上端部の内周寸法Ｌ１、括れ部の内周寸法Ｌ２及び収容部の内周寸法Ｌ３及び吸収性物品の外周寸法Ｌ４の相関関係が、Ｌ３＞Ｌ１≧Ｌ２及びＬ３＞Ｌ１≧Ｌ４である請求項１に記載の包装体。
【請求項３】
前記収容物の外周寸法Ｌ５は、前記括れ部の内周寸法Ｌ２及び前記上端部の内周寸法Ｌ１のうちの少なくとも前記内周寸法Ｌ２と同じ又はそれよりも大きい請求項１又は２に記載の前記包装体。
【請求項４】
前記スタンディング袋は、上下端縁と、両側縁とをさらに有し、前記上端縁と前記両側縁とが互いに交差してなる一対の上角部と、前記下端縁と前記両側縁とが互いに交差してなる一対の下角部とを有し、前記上角部と前記下角部とのうちの少なくとも１つの角部が、凸曲状を有する請求項１〜３のいずれかに記載の包装体。
【請求項５】
前記一対の上角部のうちの少なくとも一方及び前記一対の下角部のうちの少なくとも一方が、凸曲状である請求項４に記載の包装体。
【請求項６】
前記底面は、ガゼット状に折り込まれている請求項１〜５のいずれかに記載の包装体。
【請求項７】
前記外周シール部は、前記上下方向へ延びる第１及び第２サイドシール部を有し、前記前面と前記後面とは、それぞれ、第１及び第２サイドシール部からさらに下方へ延びる下端部分を有していて、前記前面の前記下端部分と前記後面の前記下端部分とは、前記第１及び第２サイドシール部の下方に離間して位置する溶着部分を介して互いに接合される請求項１〜６のいずれかに記載の包装体。
【請求項８】
前記前面の前記下端部分の内面と前記後面の前記下端部分の内面とから形成された前記底面には、非装飾要素を含む情報表示部が配置される請求項７に記載の包装体。
【請求項９】
前記溶着部分は、略半円形状を有する請求項７又は８に記載の包装体。
【請求項１０】
前記スタンディング袋の外面に、前記スタンディング袋の外形輪郭が女性の身体を模したものであることを想起させることが可能な装飾要素を有する装飾部が配置される１〜９のいずれかに記載の包装体。
【請求項１１】
前記括れ部には、開封手段が位置する請求項１〜１０のいずれかに記載の包装体。
【請求項１２】
前記開封手段は、前記スタンディング袋の側縁から前記幅方向の内側へ延びるスリット、ミシン目、ジッパー、前記スタンディング袋に溶着された開封テープのいずかである請求項１１に記載の包装体。
【請求項１３】
前記上端部には、吊持手段が位置する請求項１〜１２のいずれかに記載の包装体。
【請求項１４】
前記スタンディング袋の少なくとも一部は、透明又は半透明である請求項１〜１３のいずれかに記載の包装体。
【考案の詳細な説明】
【技術分野】
【０００１】
本考案は、使い捨ておむつ、生理用ショーツ、生理用ナプキン等の吸収性物品を有する収容物の包装体に関する。
【背景技術】
【０００２】
従来、吸収性物品を有する収容物の包装体は、公知である。例えば、特許文献１には、複数の吸収性物品が内部に収納されていて、載置面に対して自立した状態で載置することのできるスタンディング袋を備えた包装体が開示されている。
【先行技術文献】
【特許文献】
【０００３】
【特許文献１】特開２０１１−１１１９９号公報（Ｐ２０１１−１１１９９Ａ）
【０００４】
特許文献１に開示された包装体によれば、包装体（スタンディング袋）全体の幅寸法がほぼ同じであることから、取り出し口の大きさを収容物の大きさに合わせた場合には、取り出し易くなる一方、開封後、包装体を自立した状態で保管しているときに横倒しされたときや携帯時に逆向きにされたとき等において、いきおい吸収性物品が取り出し口から外に飛び出してしまうおそれがある。
【０００５】
また、取り出し口の大きさを比較的に小さくした場合には、それに合わせて収容空間全体が小さくなって、収容物を隙間なく無理に押し込んだ状態となって取り出し難くなる。特に、収容物において、吸収性物品が個包装に折り畳まれた状態で包装されている場合には、パッド状の吸収体の重なり合う部分が嵩張ってスタンディング袋の収容部が膨らんだ状態となるので、指先を挿しいれて取り出し難くなるといえる。
【考案の概要】
【考案が解決しようとする課題】
【０００６】
本考案は、吸収性物品を有する収容物を取り出し易く、かつ、不用意に収容物が外に飛び出すことのない包装体の提供を課題としている。
【課題を解決するための手段】
【０００７】
前記課題を解決するために本考案に係る吸収性物品を有する収容物の包装体は、幅方向と上下方向とそれらに交差する前後方向とを有し、スタンディング袋と、前記スタンディング袋内に収容された、吸収性物品を有する収容物の包装体に関する。
【０００８】
本考案に係る包装体は、前記スタンディング袋は、前面と、後面と、底面と、前記前面と後面とが互いに接合された外周シール部と、前記外周シール部と前記底面とに囲まれた収容空間と、前記幅方向へ延びる上端部と、上端部の下方に位置し、括れ部と、前記括れ部の下方に位置する前記収容物が収容された収容部とをさらに有し、前記上端部の内周寸法Ｌ１、前記括れ部の内周寸法Ｌ２及び前記収容部の内周寸法Ｌ３のうちで前記括れ部の内周寸法Ｌ２が最も小さく、かつ、前記収容部の内周寸法Ｌ３、前記上端部の内周寸法Ｌ１及び前記吸収性物品の外周寸法Ｌ４のうちで前記吸収性物品の外周寸法Ｌ４が最も小さいことを特徴とする。
【０００９】
本考案に係る吸収性物品を有する収容物の包装体は、以下の好ましい実施態様を含む。
（１）上端部の内周寸法Ｌ１、括れ部の内周寸法Ｌ２及び収容部の内周寸法Ｌ３及び吸収性物品の外周寸法Ｌ４の相関関係が、Ｌ３＞Ｌ１≧Ｌ２及びＬ３＞Ｌ１≧Ｌ４である。
（２）前記収容物の外周寸法Ｌ５は、前記括れ部の内周寸法Ｌ２及び前記上端部の内周寸法Ｌ１のうちの少なくとも前記内周寸法Ｌ２と同じ又はそれよりも大きい。
（３）前記スタンディング袋は、上下端縁と、両側縁とをさらに有し、前記上端縁と前記両側縁とが互いに交差してなる一対の上角部と、前記下端縁と前記両側縁とが互いに交差してなる一対の下角部とを有し、前記上角部と前記下角部とのうちの少なくとも１つの角部が、凸曲状を有する。
（４）前記一対の上角部のうちの少なくとも一方及び前記一対の下角部のうちの少なくとも一方が、凸曲状である。
（５）前記底面は、ガゼット状に折り込まれている。
（６）前記外周シール部は、前記上下方向へ延びる第１及び第２サイドシール部を有し、前記前面と前記後面とは、それぞれ、第１及び第２サイドシール部からさらに下方へ延びる下端部分を有していて、前記前面の前記下端部分と前記後面の前記下端部分とは、前記第１及び第２サイドシール部の下方に離間して位置する溶着部分を介して互いに接合される。
（７）前記前面の前記下端部分の内面と前記後面の前記下端部の内面とから形成された前記底面には、非装飾要素を含む情報表示部が配置される。
（８）前記溶着部分は、略半円形状を有する。
（９）前記スタンディング袋の外面に、前記スタンディング袋の外形輪郭が女性の身体を模したものであることを想起させることが可能な装飾要素を有する装飾部。
（１０）前記括れ部には、開封手段が位置する。
（１１）前記開封手段は、前記第１サイドシール部から前記幅方向の内側へ延びるスリット、ミシン目、ジッパー、前記スタンディング袋に溶着された開封テープのいずかである。
（１２）前記上端部には、吊持手段が位置する。
（１３）前記スタンディング袋の少なくとも一部は、透明又は半透明である。
【考案の効果】
【００１０】
本考案に係る吸収性物品を有する収容物の包装体によれば、括れ部４３の内周寸法Ｌ２が、スタンディング袋１０の収容部４４の内周寸法Ｌ３及び上端部４１の内周寸法Ｌ１よりも小さいことから、収容物で十分な収容空間を確保できるスタンディング袋が横倒しされたり、逆さになったりした場合であっても、内部に収容された収容物が外部に飛び出すのを抑制することができる。
【図面の簡単な説明】
【００１１】
図面は、本開示に係る吸収性物品を有する収容物の包装体の特定の実施の形態を示し、考案の不可欠な構成ばかりでなく、選択的及び好ましい実施の形態を含む。
【００１２】
【図１】本考案に係る、吸収性物品を有する収容物の包装体の斜視図。
【図２】図１のII―II線に沿う断面図。
【図３】開封手段によって、スタンディング袋を開封した状態を示す図。
【図４】（ａ）スタンディング袋の下端部分の側面拡大図。（ｂ）底面の平面図。
【図５】（ａ）収容物の一部破断平面図。（ｂ）収容物の一部展開図。
【図６】（ａ）生理用ショーツの平面図。（ｂ）折り畳まれた状態における生理用ショーツの平面図。
【図７】製造工程の一例における、包装体の様子を示す斜視図。
【図８】（ａ）前面の下端部分と後面の下端部分とを分離した状態における図４（ａ）と同様の図。（ｂ）図８（ａ）の状態における、底面の平面図。（ｃ）図８（ａ）の状態における、スタンディング袋の下端部分の様子を示す図。
【図９】（ａ）製造時において、前面の下端部分と後面の下端部分とを接合する溶着部分を形成する前の状態を示す、スタンディング袋の下端部の断面図。（ｂ）溶着部分が形成された後の様子を示す、図９（ａ）と同様の図。
【図１０】実施例の一例における、スタンディング袋の平面図。
【考案を実施するための形態】
【００１３】
添付の図面を参照して、本考案に係る吸収性物品を有する収容物２０の包装体１の詳細を説明すると、以下のとおりである。図示例では、本考案に係る吸収性物品の一例として、使い捨てであって女性用の生理用ショーツ３０Ａ，３０Ｂを示している。ただし、吸収性物品には、図示例のほかに、大人用又は子供用の使い捨ておむつ、生理用ナプキン、男性用の尿パッド等の公知の体液吸収性を有する吸収性物品全般を含む。なお、各図において、スタンディング袋１０の前後面１１，１２の外面には、説明の便宜上、薄く着色を施している。
【００１４】
図１〜図３を参照すると、生理用ショーツ３０Ａ，３０Ｂをそれぞれ有する収容物２０Ａ，２０Ｂの包装体１は、互いに交差する幅方向Ｘと上下方向Ｙ、前後方向Ｚを有し、単数又は複数の収容物２０Ａ，２０Ｂを収容したスタンディング袋１０を含む。スタンディング袋１０は、紙、不織布、ポリエチレンやポリプロピレン等の公知の熱可塑性合成樹脂製のフィルム（熱可塑性フィルム）等から形成される。なお、スタンディング袋１０の原材料として紙を使用する場合には、それを形成するシート材として、紙と熱可塑性フィルムとのラミネートシートを用いることが好ましい。
【００１５】
本実施形態において、スタンディング袋１０は、連続する１枚のシート材であって、複数の同種類又は異種類の熱可塑性フィルムを積層したラミネートフィルムから形成される。ただし、熱可塑性フィルムは、後記の前面１１と後面１２とをそれぞれ形成する別体のシート材から形成してもよいし、単数のフィルムのみから形成してもよい。また、スタンディング袋１０の少なくとも一部は、透明又は半透明であることが好ましい。かかる場合には、消費者は、開封する前に、例えば、包装体１が商品棚等の陳列された状態で、収容空間Ｓに収容された収容物２０Ａ，２０Ｂを視認することができる。
【００１６】
スタンディング袋１０は、底面をガゼット状に折り畳んでなる１枚のシートから形成されていて、幅方向Ｘへ直線状に延びる上端縁１０ａと、幅方向Ｘへ直線状に延びる下端縁１０ｂと、上下端縁１０ａ，１０ｂ間において、上下方向Ｙに湾曲して延びる両側縁１０ｃ，１０ｄとを有する。スタンディング袋１０の両側縁１０ｃ，１０ｄは、上端縁１０ａから下方に向かって次第に幅方向Ｘの内側へ凹曲する凹曲部位と、凹曲部位と連続してその下方において幅方向Ｘの外側へ凸曲する凸曲部位とを有する。
【００１７】
スタンディング袋１０は、中空（チューブ）状であって、前後方向Ｚにおいて互いに対向する前後面１１，１２と、底面１３と、上端部４１と、下端部４２と、上端部４１の下方に位置する括れ部４３と、括れ部４３の下方に位置する収容部４４とを有する。前面１１と後面１２とは、それぞれ、上端部分１１ａ，１２ａと、下端部分１１ｂ，１２ｂとを有する。
【００１８】
スタンディング袋１０は、前面１１と後面１２とを互いに熱溶着又は超音波溶着等の公知の溶着手段によって接合する外周シール部１４をさらに有する。外周シール部１４は、幅方向Ｘへ延びていて、前面１１の一部と後面１２の一部とを互いに接合する上方シール部１４ａと、前面１１の両側縁部と後面１２の両側縁部とを互いに接合する第１及び第２サイドシール部１４ｃ，１４ｂとを有する。
【００１９】
上端部４１は、上方シール部１４ａの上側に位置する部分であって、互いに非接合の前面１１の上端縁部１１ａと後面１２の上端縁部１２ａとから構成される。第１及び第２サイドシール部１４ｃ，１４ｄは、両側縁１０ｃ，１０ｄの下端縁まで延びておらず、第１及び第２サイドシール部１４ｃ，１４ｄの下方に位置する下端部４２では、前面１１の下端部分１１ｂと後面１２の下端部分１２ｂとが、第１及び第２サイドシール部１４ｃ，１４ｄの下方に離間して位置する略半円形状の溶着部分４７を介して互いに接合されている。
【００２０】
スタンディング袋１０の下端部４２では、シート材をガゼット状に折り込むことで底面１３が形成されている。かかる構成を有することから、底面１３が前後面１１，１２の下端部分１１ｂ，１２ｂの内面から形成されていて、下端部分１１ｂ，１２ｂは、それぞれ、底面１３の外周縁からさらに下方へ延びる縁部７１，７２を有する。縁部７１，７２は、前後方向Ｚにおいて折り重ねられたシート材が互いに溶着された部分で形成されていることから、比較的に剛性が高くなっている。ガゼット状に折り込まれた底面１３を展開することによって、スタンディング袋１０は、安定した状態で自立させることができる。
【００２１】
スタンディング袋１０の前面１１には、装飾部１９が配置されている。装飾部１９は、意匠的な効果を有するデザインやキャラクター、商品としての識別機能を発揮しうる商標的な効果を有する標章、広告表示等からなる装飾要素を有する。装飾部１９は、図示例では、包装体１に収容された女性用ショーツを着用した女性のデザインから構成されている。スタンディング袋１０の外面の一部に、かかる特徴のあるデザインを有する装飾部１９が配置されることによって、括れ部４３を有する包装体１の外形輪郭が、女性の身体のうちの腰回り近傍を模したものであることを購入者等により強く想起させることができる。
【００２２】
図１及び図３を参照すると、括れ部４３には、側縁１０ｃから幅方向Ｘの内側へ延びるスリット（開封手段）１５が設けられている。使用者が、一方の手で収容部４４を把持して押さえ、他方の手で上方シール部１４ａの上方に位置する上端部４１を摘持し、スリット１５を起点として第１サイドシール部１４ｃから第２サイドシール部１４ｄへ引っ張ることによって、スタンディング袋が引き裂かれて、収容物２０Ａ，２０Ｂを収容部４４から取り出し可能な取り出し口４８が形成される。
【００２３】
このように、括れ部４３にスリット１５を設けることによって、簡易に取り出し口４８を形成して収容物２０Ａ，２０Ｂを取り出すことができる。なお、簡易に取り出し口４８を形成することができる限りにおいて、括れ部４３に開封手段を設けずに、上方シール部１４ａで接合された前後面１１，１２を前後方向Ｚに分離することで開封してもよい。また、開封手段としては、スリット１５のほかに、幅方向Ｘへ延びる、スタンディング袋１０の外面に熱溶着された開封テープであって、開封テープの摘持部を引っ張ることによって開封するものであってもよいし、外面に幅方向Ｘへ延びる１本又は複数条のミシン目を形成してなるものであってもよい。さらに、開封手段として、ジッパーを採用してもよい。かかる場合には、開封後も収容部４４を密閉することができるので、スタンディング袋１０を使用後の廃棄用袋としても利用し、体液吸収後の生理用ショーツ３０の臭気が外部に漏れるのを抑制することができる。
【００２４】
上端部４１を形成する前面１１と後面１２とには、前後方向Ｚにおいて互いに連通する開口から形成された、吊持手段１８が配置される。上端部４１に吊持手段１８が位置することによって、ドラッグストア等の小売店の商品棚のフックに包装体１を吊り下げて陳列することができる。
【００２５】
スタンディング袋１０は、上方シール部１４ａと、第１及び第２サイドシール部１４ｃ，１４ｄと、ガゼット状に折り込まれた底面１３とによって囲まれた収容空間Ｓをさらに有する。収容空間Ｓは、括れ部４３から下方へ向かうにつれて内周寸法が大きくなっていて、下方に位置する収容部４４は、生理用ショーツ３０を有する単数又は複数の収容物２０Ａ，２０Ｂが収容できる程度の大きさを有する。本実施形態においては、収容空間Ｓ内に、複数の収容物２０Ａ，２０Ｂが前後方向Ｚに並んで配置されていて、前面１１と対向するように配置された収容物２０Ａと、後面１２と対向するように配置された収容物２０Ｂとが収容されている。なお、図示例とは異なり、収容物２０Ａ，２０Ｂは、前後方向Ｚではなく、又はそれに加えて、上下方向Ｙ及び幅方向Ｘに並んで配置されていてもよい。
【００２６】
図４（ａ）を参照すると、既述のとおり、前面１１の下端部分１１ｂと後面１２の下端部分１２ｂとは、略円形状の溶着部分４７を介して互いに接合されている。図４（ｂ）を参照すると、底面１３には、生理用ショーツ３０の使用方法、製品の原材料、産地、製造者名や製造者の住所等の製造者情報を含む情報表示部６５が配置されている。情報表示部６５は、装飾部１９と異なり、包装体１の装飾効果及び商標的効果に寄与しない非装飾要素から構成されている。
【００２７】
底面１３は、ガゼット状に折り畳まれた状態にあるので、その全体が視認され難いといえるが、情報表示部６５は非装飾要素から構成されていることから、商品棚に陳列されているときに、あえて消費者に視認される必要はない。また、情報表示部６５を直接視認され難い底面１３に配置されることで、前後面１１，１２に装飾要素のみからなる統一的なデザインを採用することができ、非装飾要素が前後面に配置された他の商品と差別化を図ることができる。
【００２８】
図５（ａ），（ｂ）を参照すると、収容物２０Ａは、生理用ショーツ３０Ａと、それを包装する個包装袋５０とを有する。個包装袋５０は、繊維不織布、プラスチックフィルム又はそれらのラミネートシートからなる１枚のシート材から形成される。収容物２０Ａは、幅方向Ｘへ延び、個包装袋５０を形成するシート材のうちの重ね合わせた部分を互いに接合した接合ラインを有する上下端部２１，２２と、上下方向Ｙへ延びる両側縁部２３，２４と、シート材の端部２６，２７が互いに重なり合うことで画成された、収容された生理用ショーツ３０Ａを取り出すための取り出し口２５とを有する。なお、生理用ショーツ３０Ｂを有する収容物２０Ｂの説明については省略するが、収容物２０Ａと同様の構成を有する。
【００２９】
本考案に係るスタンディング袋１０に収容される収容物２０Ａ，２０Ｂは、生理用ショーツ３０Ａ，３０Ｂとそれを包装するオプションとしての個包装袋５０とから構成されているが、生理用ショーツ３０が個包装袋５０に包装されておらず、直接収容部４４に収容されていてもよい。また、本考案の技術的効果を奏する限りにおいて、収容物２０Ａ，２０Ｂは１つであってもよいし、吊持手段１８で吊持して陳列できる程度の３つ以上の数であってもよいし、生理用ショーツ３０が個包装袋５０に折り畳まれずに包装されていてもよい。
【００３０】
図６（ａ），（ｂ）を参照すると、生理用ショーツ３０Ａは、前ウエスト域３１と、後ウエスト域３２と、前後ウエスト域の間に位置するクロッチ域３３と、クロッチ域３３から前後ウエスト域３１，３２まで延びる吸収体３４とを有する。生理用ショーツ３０は、前後ウエスト域の両側縁部が互いに接合された、いわゆるパンツ型であって、個包装袋５０に折り畳まれた状態で収容されている。
【００３１】
具体的には、生理用ショーツ３０Ａは、吸収体の両側縁の外側においてそれに沿うように延びる一対の縦断折曲ライン３５と、生理用ショーツ３０の縦方向の寸法を２等分するように、一対の縦断折曲ライン３５と交差して延びる横断折曲ライン３６とを有する。生理用ショーツ３０は、一対の縦断折曲ライン３５に沿って両側部分を生理用ショーツ３０の横方向の内側へ折り畳んだ後に、横断折曲ライン３６に沿ってクロッチ域３３側の部分が前ウエスト域３１へ向かって折り曲げることによって、略矩形状のコンパクトな状態で個包装袋５０に包装されている。なお、収容物２０Ｂに収容された生理用ショーツ３０Ｂの構成は、生理用ショーツ３０Ａと同じであるから、説明を省略する。
【００３２】
図２及び図３を参照すると、生理用ショーツ３０Ａ，３０Ｂは、超吸収性ポリマー粒子やフラッフパルプ等の吸収性材料を含むパッド状であって圧縮復元性を有する吸収体３４を有し、収容部４４内において吸収体３４が前後方向に折り重ねられた状態で包装されていることから、収容物２０Ａ，２０Ｂ自体が前後方向Ｚへ膨らんだ状態となる。特に、生理用ショーツ３０Ａ，３０Ｂの吸収体３４は経血を吸収するために幅方向の中央に嵩高の中高部分を有することから、尿吸収用の吸収体に比べて折り重ねたときに厚みが増すといえる。かかる収容物２０Ａ，２０Ｂが、スタンディング袋１０の収容空間Ｓ内に前後方向Ｚに並んだ状態で複数配置されていることから、収容部４４は、生理用ショーツ３０Ａ，３０Ｂを折り畳まない状態で収容した場合に比べて、前後方向Ｚへさらに膨らんだ状態となっている。
【００３３】
また、収容物２０Ａ，２０Ｂを収容空間Ｓにさらに押し込むように収容させることによって、ガゼット状に折り込まれた底面１３が下方へ押し広げられ、底面１３に収容物２０Ａ，２０Ｂの下端部が面状に接した状態となって、収容物２０Ａ，２０Ｂが収容空間Ｓ内に安定的に収容される。既述のとおり、前後面１１，１２の下端部１１ｂ，１２ｂの縁部７１，７２は比較的に高い剛性を有することから、スタンディング袋１０は、載置面２に対して前後面１１，１２の縁部７１，７２が当接した状態で自立することができる。このように、包装体１は、小売店の商品棚等において、上端部４１に位置する吊持手段１８を介して吊持した状態、又は底面１３が展開されていない、自立した状態のいずれかの態様で陳列することができる。
【００３４】
図７は、製造工程の一例における、包装体１の様子を示す斜視図である。図７を参照すると、スタンディング袋１０は、上端部４１の内周寸法Ｌ１、括れ部４３の内周寸法Ｌ２、収容部４４の内周寸法Ｌ３を有し、吸収性物品３０Ａ，３０Ｂ（の集合体）は外周寸法Ｌ４、収容物２０Ａ，２０Ｂ（の集合体）は外周寸法Ｌ５を有する。
【００３５】
各内周寸法Ｌ１−Ｌ３は、可撓性を有するチューブ状のシート材から形成されたスタンディング袋１０が変形していない状態における、各部４１，４３，４４の最大の内周寸法を意味する。また、収容物２０Ａ，２０Ｂの外周寸法Ｌ５は、収容空間Ｓ内に収容される単数又は複数からなる収容物全体の外周寸法を意味し、本実施形態では、互いに重なり合った２つの収容物２０Ａ，２０Ｂからなる集合体の外周寸法を意味する。各内周寸法Ｌ１−Ｌ３は、空のスタンディング袋１０の前後面１１，１２の内面どうしが当接した状態で平置きし、各部４１，４３，４４における第１サイドシーム部１４ｃの内側縁と第２サイドシーム部１４ｄとの内側縁との離間寸法を測定器具（定規、メジャー）で測定して、測定した寸法を２倍の大きさにすることで求めた。一方、収容物２０Ａ，２０Ｂの（集合体）の外周寸法Ｌ５は、できるだけ外周面が変形していない平坦な状態における収容物２０Ａ，２０Ｂの全周にメジャーを掛け回すようにして、測定した。
【００３６】
吸収性物品３０Ａ，３０Ｂの外周寸法Ｌ４は、吸収性物品３０Ａ，３０Ｂの横方向の寸法をＷ１、吸収性物品３０の最大の厚さ寸法をＷ２とした場合、Ｌ４＝Ｗ２×２＋Ｗ２の計算式で求めた。
【００３７】
吸収性物品３０の外周寸法Ｌ４の測定方法としては、例えば、まず、図５（ａ）に示すような態様で、ライトテーブル上に収容物２０Ｂが下側、収容物２０Ａが上側となるように収容物２０Ａ，２０Ｂを平置きし、個包装袋５０内に位置する収容物２０Ａ，２０Ｂの両側縁どうしが互いに重なるように位置合わせをした。次に、個包装袋５０を介して透視される収容物２０Ａ内の吸収性物品３０の両側縁にペンで印をつけて、印を付けた両側縁間の離間寸法を測定器具（定規、メジャー）で測定し、吸収性物品３０Ａ，３０Ｂの横方向の寸法Ｗ１とした。
【００３８】
次に、図２に示す、２つの吸収性物品３０の厚さ寸法（前後方向Ｚの寸法）Ｗ２を測定した。吸収性物品３０の厚さ寸法Ｗ２は、吸収性物品３０Ａ，３０Ｂのうちで最も厚みのある部分、すなわち、吸収性物品３０Ａ,３０Ｂの横方向の寸法Ｗ１を測定した後に、２つの吸収性物品３０Ａ，３０Ｂの吸収体が折り重ねられた部分におけるライトテーブルの載置面から収容物２０Ａに収容された吸収性物品３０Ａの最も上方に位置する部分との離間寸法を測定器具で測定した。なお、かかる測定では、吸収性物品３０Ａ,３０Ｂを包装する包装袋５０のも含まれることになるが、前後方向Ｚにおいて吸収性物品３０Ａ，３０Ｂと包装袋５０との間には隙間がないことから、測定された寸法に大きな影響を与えるものではないといえる。なお、本実施形態は２つの吸収性物品３０Ａ，３０Ｂが積層された態様について測定したものであるが、スタンディング袋１０に単体又は３つ以上の吸収性物品が収容されている場合には、それらが収容された態様を再現した状態で、既述の方法に沿って測定することができる。
【００３９】
本実施形態に係る包装体１において、上端部４１の内周寸法Ｌ１、括れ部４３の内周寸法Ｌ２及び収容部４４の内周寸法Ｌ３のうちで括れ部４３の内周寸法Ｌ２が最も小さく、かつ、収容部４４の内周寸法Ｌ３、上端部４１の内周寸法Ｌ１及び吸収性物品３０Ａ，３０Ｂの外周寸法Ｌ４のうちで吸収性物品３０Ａ，３０Ｂの外周寸法Ｌ４が最も小さくなっている。また、好ましくは、上端部４１の内周寸法Ｌ１、括れ部４３の内周寸法Ｌ２及び収容部４４の内周寸法Ｌ３及び吸収性物品３０Ａ，３０Ｂの外周寸法Ｌ４の相関関係が、Ｌ３＞Ｌ１≧Ｌ２及びＬ３＞Ｌ１≧Ｌ４である。
【００４０】
上端部４１の内周寸法Ｌ１が吸収性物品３０Ａ，３０Ｂの外周寸法Ｌ４と同じ又はそれよりも大きいことから、包装体１の製造時において、製造装置のプッシャーで吸収性物品３０Ａ，３０Ｂを上端部４１に引っ掛けることなく内部の開口をスムーズに通過させて、スタンディング袋１０内の収容空間Ｓへ容易に押し込むことができる。また、吸収性物品３０Ａ，３０Ｂを内部に押し込む際の開口の内周寸法Ｌ１よりも収容部４４の内周寸法Ｌ３が大きいことから、プッシャーの圧力から解放されて圧縮復元性を有する吸収体３４の作用によって吸収性物品３０Ａ，３０Ｂが前後方向Ｚへ膨らんだ状態となっても、スタンディング袋１０が破れたりすることはない。また、吸収性物品３０Ａ，３０Ｂを有する収容物２０Ａ，２０Ｂが隙間のある状態で収容部４４に収容されることから、使用する際に、収容部４４に手を挿し入れて複数の収容物２０Ａ，２０Ｂを把持して引っ張り出すこともできる。
【００４１】
また、前記収容物の外周寸法Ｌ５は、括れ部４３の内周寸法Ｌ２及び上端部４１の内周寸法Ｌ１のうちの少なくとも括れ部４３の内周寸法Ｌ２と同じ大きさ又はそれよりも大きくなっている。
【００４２】
これによって、例えば、スタンディング袋１０の開封後に、載置面２に自立させたスタンディング袋１０を横転させたときや、携帯する際に誤って逆さに持ったとき等には、収容物２０Ａ，２０Ｂが取り出し口４８から外に飛び出てしまうおそれがあるが本実施形態においては、収容物２０Ａ，２０Ｂの外周寸法Ｌ５は、上端部４１の内周寸法Ｌ１及び括れ部の内周寸法Ｌ２のうちの少なくとも内周寸法Ｌ２と同じ又はそれよりも大きいことから、このように、包装体１を横転させたり、いきおい逆さにして持ち歩いたときであっても、収容物２０Ａ，２０Ｂが括れ部４３に引っ掛かって収容空間Ｓから外に飛び出すおそれはない。なお、図７に示した製造工程及び収容物２０Ａ，２０Ｂを取出し口４８から取り出すときには、収容物２０Ａ，２０Ｂ全体を変形させて、特に、個包装袋５０のうちの吸収性物品３０Ａ，３０Ｂの外周縁から延出する部分を変形させて、その外周寸法Ｌ５を小さくすることによって、括れ部４３内を通過させることができる。
【００４３】
再び、図１及び３を参照すると、スタンディング袋１０は、上端縁１０ａと両側縁１０ｃ，１０ｄとが互いに交差してなる一対の上角部６１と、下端縁１０ｂと両側縁１０ｃ，１０ｄとが互いに交差してなる一対の下角部６２とを有し、上角部６１と下角部６２とは、先鋭状ではなく、角が丸くなったなだらかな曲状である凸曲状を有する。したがって、例えば、包装体１が商品棚に吊持された状態や使用者が携帯したときに、上下角部６１，６２が使用者等の指先等に触れたとしても刺激を与えるおそれはない。なお、かかる効果を奏するためには、上下角部６１，６２のすべてが凸曲状である必要はなく、指先等に触れ易い上下角部６１，６２のうちの少なくとも１つが凸曲状であればよく、また、一対の上角部６１のうちの少なくとも一方及び一対の下角部６２のうちの少なくとも一方が凸曲状であることが好ましい。
【００４４】
図８（ａ）は、前面１１の下端部分１１ｂを後面１２の下端部分１２ｂから離間した状態を示すものであって、溶着部分４７が下端部分１２ｂ側に位置し、下端部分１１ｂには、溶着部分４７に対応した略半円状の切欠７６が形成されている。
【００４５】
図９（ａ）は、製造時において、前面１１の下端部分１１ｂと後面１２の下端部分１２ｂとを接合する溶着部分４７を形成する前の状態を示す、スタンディング袋１０の下端部４２の断面図、図９（ｂ）は、溶着部分４７が形成された後の様子を示す、図９（ａ）と同様の断面図である。図９（ａ）を参照して溶着部分４７の形成方法について説明すると、スタンディング袋１０の前後面１１，１２は、複数の熱可塑性フィルムのラミネートシートから形成されていて、具体的には、外面及び内面側に位置するＰＥＴ（ポリエチレンテレフタレート）フィルム７７ａ，７８ａと、ＰＥＴフィルム７７ａ，７８ａの間に位置する２枚のＰＥ（ポリエチレン）フィルム７７ｂ，７８ｂとの４枚のフィルムからなるラミネートシートから形成されている。かかる構成を有するラミネートシートのうちの前面１１の内面側に位置するＰＥＴフィルム７７ａの一部と、それに対向する後面１２の内面側に位置するＰＥＴフィルム７８ａの一部とには、開口８１が形成される。
【００４６】
図９（ｂ）を参照すると、前後面１１，１２の開口８１に対応する部分が、略円形状のエンボスピンによって熱圧縮されるとともに、前面１１のエンボスピンの外形に沿う部分がハーフカットされて連続又は非連続の略円形状の切込み７９が形成され、溶着部分４７が形成される。このように形成された溶着部分４７を前後方向Ｚに剥離したときには、略円形状の外形をなす切込み７９によって、図８（ａ）に示すように、前面１１の一部に切欠７６が形成されるとともに、後面１１の対応する部分には、溶着部分４７が残る。
【００４７】
このように、下端部分１１ｂには、複数の積層されたフィルムの切断端面が露出した状態となり、使用者の指先等に触れると刺激を与えるおそれがあるが、溶着部分４７が略半円形状を有することによって、かかる刺激を抑制することができる。また、溶着部分４７が、下端縁１０ｂから上方へ向かって幅方向Ｘの内側へ延びるような形状を有することから、下端縁１０ｂ側から溶着部分４７を剥離しようとする力が掛かってもかかる力が分散され易く、不用意に溶着が解除されるのを抑制することができる。
【００４８】
図８（ｂ）を参照すると、前後面１１，１２の下端部分１１ｂ，１２ｂどうしを接合する溶着部分４７を分離することによって、底面１３に配置された非装飾要素を有する情報表示部６５の全体を視認し易くなる。したがって、使用者は、使用する前に、情報表示部６５に示された、生理用ショーツ３０の使用方法や製造者情報等の内容を十分に読み取ることができる。
【００４９】
図８（ｃ）を参照すると、溶着部分４７を分離して底面１３が完全に外部に露出した状態で包装体１を自立させる場合には、収容物２０Ａ，２０Ｂの重さによって下方へ湾曲した底面１３が載置面２に当接するとともに、前面１１の下端部分１１ｂの縁部７１と後面１２の下端部分１２ｂの縁部７２とが上方に浮き上がった状態となる。かかる場合には、例えば、スタンディング袋１０にそれを前方へ倒伏させようとする力が作用したとしても、底面１３が前方へ傾くとともに縁部７１が載置面２に接して支持し、包装体１が倒伏するのを抑制することができる。
【００５０】
図１０は、本考案に係る実施例の一例における包装体１の平面図である。本実施例においては、スタンディング袋１０の前面１１に、女性の下着のデザインを有する装飾要素を有する装飾部８０が配置されている。かかる装飾部８０を配置することで、包装体１が女性用の生理用ショーツ３０を収容したものであることを消費者にアピールすることができる。また、包装体１の外形輪郭と装飾部８０とが組み合わさることで、包装体１が女性の身体を模したものであることを強く想起させることができるとともに、他の商品にはない斬新なデザインによるインパクトを与えることで、消費者に対して購買意欲を惹起させることができる。
【符号の説明】
【００５１】
１０  スタンディング袋
１１  前面
１１ｂ  前面の下端部分
１２  後面
１２ｂ  後面の下端部分
１３  底面
１４  外周シール部
１４ｃ，１４ｄ  第１及び第２サイドシール部
１５  開封手段
１８  吊持手段
１９  装飾部
４１  上端部
４２  下端部
４３  括れ部
４４  収容部
４７  溶着部分
６１  上角部
６２  下角部
６５  情報表示部
Ｌ１  上端部の内周寸法
Ｌ２  括れ部の内周寸法
Ｌ３  前記収容部の内周寸法
Ｌ４  収容物の外周寸法
Ｓ    内部空間
Ｘ    幅方向
Ｙ    上下方向
Ｚ    前後方向
【図１】
0003223065.tif 000003
【図２】
0003223065.tif 000004
【図３】
0003223065.tif 000005
【図４】
0003223065.tif 000006
【図５】
0003223065.tif 000007
【図６】
0003223065.tif 000008
【図７】
0003223065.tif 000009
【図８】
0003223065.tif 000010
【図９】
0003223065.tif 000011
【図１０】
0003223065.tif 000012
【手続補正書】
【提出日】令和1年7月5日(2019.7.5)
【手続補正１】
【補正対象書類名】明細書
【補正対象項目名】０００３
【補正方法】変更
【補正の内容】
【０００３】
【特許文献１】特開２０１１−１１１１９９号公報（Ｐ２０１１−１１１１９９Ａ）
【手続補正２】
【補正対象書類名】明細書
【補正対象項目名】００５１
【補正方法】変更
【補正の内容】
【００５１】
１０  スタンディング袋
１１  前面
１１ｂ  前面の下端部分
１２  後面
１２ｂ  後面の下端部分
１３  底面
１４  外周シール部
１４ｃ，１４ｄ  第１及び第２サイドシール部
１５  開封手段
１８  吊持手段
１９  装飾部
２０Ａ，２０Ｂ  収容物
３０Ａ，３０Ｂ  吸収性物品
４１  上端部
４２  下端部
４３  括れ部
４４  収容部
４７  溶着部分
６１  上角部
６２  下角部
６５  情報表示部
Ｌ１  上端部の内周寸法
Ｌ２  括れ部の内周寸法
Ｌ３  収容部の内周寸法
Ｌ４  吸収性物品の外周寸法
Ｌ５  収容物の外周寸法
Ｓ    収容空間
Ｘ    幅方向
Ｙ    上下方向
Ｚ    前後方向